【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
原稿を読み取る読取手段と、読み取られたデータから原稿が白黒であるか又はカラーであるかを判定する色判定処理を実行する色判定手段とを備える画像形成装置であって、
原稿を読み取る際の実行条件を登録する登録手段と、
前記実行条件を確認する確認手段と、
前記確認手段によって確認した前記実行条件が前記色判定処理の実行を指定し、かつ、原稿サイズを登録している場合に、登録された原稿サイズを、原稿を読み取る際の読取サイズに設定し、前記実行条件が前記色判定処理の実行を指定し、かつ、前記原稿サイズを登録していない場合に、又は、前記実行条件が前記色判定処理の実行を指定していない場合に、画像印刷に用いる記録材のサイズを前記読取サイズに設定する設定手段と
を備えることを特徴とする画像形成装置。
【請求項２】
前記設定手段は、
前記実行条件が前記色判定処理の実行を指定し、かつ、前記原稿サイズを登録している場合であって、前記原稿サイズが指定なしに登録されている場合に、操作者に対して前記原稿サイズの入力を促し、入力された原稿サイズを前記読取サイズに設定することを特徴とする請求項１に記載の画像形成装置。
【請求項３】
前記実行条件には、画像形成する際の倍率がさらに含まれ、
前記実行条件において、１００％より大きい倍率が指定されている場合に、前記設定手段によって設定された前記読取サイズを、該読取サイズを指定された倍率で除算した値に補正する補正手段をさらに備えることを特徴とする請求項１又は２に記載の画像形成装置。
【請求項４】
原稿を給紙するための給紙手段と、
原稿を載置するための原稿台と、
前記給紙手段にセットされた原稿の有無を検知する原稿有無検知センサとをさらに備え、
前記設定手段は、
前記実行条件が前記色判定処理の実行を指定していない場合であって、前記給紙手段に原稿がセットされている場合は、前記画像形成装置で読み取り可能な最大サイズの原稿サイズを前記読取サイズに設定し、前記実行条件が前記色判定処理の実行を指定していない場合であって、前記原稿台に原稿が載置されている場合は、前記色判定処理の実行が指定されている場合と同一の設定処理を実行することを特徴とする請求項１乃至３のいずれか１項に記載の画像形成装置。
【請求項５】
前記設定手段は、前記原稿有無検知センサによって前記給紙手段にセットされた原稿が検知できない場合に、前記原稿台に原稿が載置されていると判断することを特徴とする請求項４に記載の画像形成装置。
【請求項６】
原稿を給紙するための給紙手段と、前記給紙手段にセットされた原稿の有無を検知する原稿有無検知センサと、前記原稿を読み取る読取手段と、読み取られたデータを外部装置に送信する送信手段とを備える画像形成装置であって、
原稿を読み取る際及び読み取ったデータを前記外部装置に送信する際の実行条件を登録する登録手段と、
前記実行条件を確認する確認手段と、
前記原稿有無検知センサによって前記給紙手段にセットされた原稿が検知され、前記確認手段によって確認した前記実行条件が送信先としてファクシミリ装置を指定していない場合に、登録された原稿サイズを、原稿を読み取る際の読取サイズに設定し、前記原稿有無検知センサによって前記給紙手段にセットされた原稿が検知され、前記確認手段によって確認した前記実行条件が送信先としてファクシミリ装置を指定している場合に、ファクシミリ送信用の規定のサイズを前記読取サイズに設定し、前記原稿有無検知センサによって前記給紙手段にセットされた原稿が検知されない場合に、操作者に対して前記原稿サイズの入力を促し、入力された原稿サイズを前記読取サイズに設定する設定手段と
を備えることを特徴とする画像形成装置。
【請求項７】
前記設定手段は、
前記原稿有無検知センサによって前記給紙手段に原稿がセットされていると判定され、前記確認手段によって確認した前記実行条件が送信先としてファクシミリ装置を指定していない場合であって、前記原稿サイズが指定なしに登録されている場合に、操作者に対して前記原稿サイズの入力を促し、入力された原稿サイズを前記読取サイズに設定することを特徴とする請求項６に記載の画像形成装置。
【請求項８】
原稿を読み取る読取手段と、読み取られたデータから原稿が白黒であるか又はカラーであるかを判定する色判定処理を実行する色判定手段とを備える画像形成装置の制御方法であって、
登録手段が、原稿を読み取る際の実行条件を登録する登録ステップと、
確認手段が、前記実行条件を確認する確認ステップと、
設定手段が、前記確認ステップにおいて確認した前記実行条件が前記色判定処理の実行を指定し、かつ、原稿サイズを登録している場合に、登録された原稿サイズを、原稿を読み取る際の読取サイズに設定し、前記実行条件が前記色判定処理の実行を指定し、かつ、前記原稿サイズを登録していない場合に、又は、前記実行条件が前記色判定処理の実行を指定していない場合に、画像印刷に用いる記録材のサイズを前記読取サイズに設定する設定ステップと
を含むことを特徴とする画像形成装置の制御方法。
【請求項９】
原稿を給紙するための給紙手段と、前記給紙手段にセットされた原稿の有無を検知する原稿有無検知センサと、前記原稿を読み取る読取手段と、読み取られたデータを外部装置に送信する送信手段とを備える画像形成装置の制御方法であって、
登録手段が、原稿を読み取る際及び読み取ったデータを前記外部装置に送信する際の実行条件を登録する登録ステップと、
確認手段が、前記実行条件を確認する確認ステップと、
設定手段が、前記原稿有無検知センサによって前記給紙手段にセットされた原稿が検知され、前記確認ステップにおいて確認した前記実行条件が送信先としてファクシミリ装置を指定していない場合に、登録された原稿サイズを、原稿を読み取る際の読取サイズに設定し、前記原稿有無検知センサによって前記給紙手段にセットされた原稿が検知され、前記実行条件が送信先としてファクシミリ装置を指定している場合に、ファクシミリ送信用の規定のサイズを前記読取サイズに設定し、前記原稿有無検知センサによって前記給紙手段に載置された原稿が検知されない場合に、操作者に対して前記原稿サイズの入力を促し、入力された原稿サイズを前記読取サイズに設定する設定ステップと
を含むことを特徴とする画像形成装置の制御方法。
【請求項１０】
請求項８又は９に記載の制御方法の各ステップを、コンピュータにより実行させることを特徴とするコンピュータプログラム。
【手続補正２】
【補正対象書類名】明細書
【補正対象項目名】０００８
【補正方法】変更
【補正の内容】
【０００８】
また、本発明は、原稿を読み取る読取手段と、読み取られたデータから原稿が白黒であるか又はカラーであるかを判定する色判定処理を実行する色判定手段とを備える画像形成装置の制御方法として実現できる。制御方法は、登録手段が、原稿を読み取る際の実行条件を登録する登録ステップと、確認手段が、実行条件を確認する確認ステップと、設定手段が、確認ステップにおいて確認した実行条件が色判定処理の実行を指定し、かつ、原稿サイズを登録している場合に、登録された原稿サイズを、原稿を読み取る際の読取サイズに設定し、実行条件が色判定処理の実行を指定し、かつ、原稿サイズを登録していない場合に、又は、実行条件が色判定処理の実行を指定していない場合に、画像印刷に用いる記録材のサイズを読取サイズに設定する設定ステップとを含むことを特徴とする。
【手続補正３】
【補正対象書類名】明細書
【補正対象項目名】０００９
【補正方法】変更
【補正の内容】
【０００９】
また、本発明は、原稿を給紙するための給紙手段と、給紙手段にセットされた原稿の有無を検知する原稿有無検知センサと、原稿を読み取る読取手段と、読み取られたデータを外部装置に送信する送信手段とを備える画像形成装置の制御方法として実現できる。制御方法は、登録手段が、原稿を読み取る際及び読み取ったデータを外部装置に送信する際の実行条件を登録する登録ステップと、確認手段が、実行条件を確認する確認ステップと、設定手段が、原稿有無検知センサによって給紙手段にセットされた原稿が検知され、確認ステップにおいて確認した実行条件が送信先としてファクシミリ装置を指定していない場合に、登録された原稿サイズを、原稿を読み取る際の読取サイズに設定し、原稿有無検知センサによって給紙手段にセットされた原稿が検知され、実行条件が送信先としてファクシミリ装置を指定している場合に、ファクシミリ送信用の規定のサイズを読取サイズに設定し、原稿有無検知センサによって給紙手段に載置された原稿が検知されない場合に、操作者に対して原稿サイズの入力を促し、入力された原稿サイズを読取サイズに設定する設定ステップとを含むことを特徴とする。